(57)【要約】【課題】充分な低音を含む高音質な音声をリスナに聴取させ得るようにする。【解決手段】スピーカ組込椅子１は、リスナ１００に着座された際、スピーカ部５Ｌの筐体部６Ｌに設けられた管状ダクト８Ｌのダクト端部８ＡＬを当該リスナ１００の耳１０１Ｌ近傍に位置させた状態で再生音を出力することにより、スピーカユニット７Ｌからの中高音と共に、バスレフダクトとして作用する管状ダクト８Ｌのダクト端部８ＡＬから放射する十分な音量レベルの低音をリスナ１００の外耳道入口１０２Ｌに到達させることができるので、比較的低音域まで充分な音圧レベルでなる良好な再生音を当該リスナ１００に聴取させることができる。【選択図】        図１
2007221485.tif 000002
【特許請求の範囲】
【請求項１】
リスナが座部に座った際に上体を寄り掛からせるための背もたれ部と、
上記背もたれ部の所定位置に設けられ内部に空間を有する筐体部と、
上記筐体部の一面に取り付けられ、上記リスナが上記座部に座り上体を上記背もたれ部に寄り掛からせた際に上記リスナの耳との間に所定の距離が設けられるスピーカユニットと、
上記筐体部の内側に生じた音を上記リスナの耳近傍まで到達させるよう延長された管状ダクトと
を具えることを特徴とするスピーカ組込椅子。
【請求項２】
上記管状ダクトは、
バスレフ型スピーカのダクトとして作用する
ことを特徴とする請求項１に記載のスピーカ組込椅子。
【請求項３】
上記リスナが上記座部に座った際に当該リスナの背部と接する背もたれ部と
を具え、
上記筐体部は、上記背もたれ部に内蔵されている
ことを特徴とする請求項１に記載のスピーカ組込椅子。
【請求項４】
リスナが座るための座部と、
上記座部近傍の所定位置に設けられ内部に空間を有する筐体部と、
上記筐体部の一面に取り付けられ、上記リスナが上記座部に座った際に上記リスナの耳との間に所定の距離が設けられるスピーカユニットと、
上記筐体部の内側に生じた音を上記リスナの耳近傍まで到達させるよう延長された管状ダクトと
を具えることを特徴とするスピーカ組込椅子。
【請求項５】
上記リスナの耳の後方に位置するよう取り付けられた後方用スピーカ部と
を具え、
上記筐体部は、
上記スピーカユニットが上記リスナの耳の前方に位置するよう上記座部近傍の上記所定位置に設けられている
ことを特徴とする請求項４に記載のスピーカ組込椅子。
【請求項６】
内部に空間を有する筐体部と、
上記筐体部を椅子に取り付けるための取付部と、
上記筐体部の一面に取り付けられ、リスナが上記椅子の座部に座った際に上記リスナの耳との間に所定の距離が設けられるスピーカユニットと、
上記筐体部の内側に生じた音を上記リスナの耳近傍まで到達させるよう延長された管状ダクトと
を具えることを特徴とする椅子取付用スピーカ装置。
【請求項７】
椅子に取り付けられるヘッドレストであって、
内部に空間を有し上記ヘッドレストに設けられた筐体部と、
上記筐体部の一面に取り付けられ、リスナが上記椅子の座部に座った際に上記リスナの耳との間に所定の距離が設けられるスピーカユニットと、
上記筐体部の内側に生じた音を上記リスナの耳近傍まで到達させるよう延長された管状ダクトと
を具えることを特徴とするヘッドレスト。
【請求項８】
リスナが横たわるベッドであって、
内部に空間を有し上記ベッドの所定箇所に設けられた筐体部と、
上記筐体部の一面に取り付けられ、リスナが上記ベッドの所定位置に横たわった際に上記リスナの耳との間に所定の距離が設けられるスピーカユニットと、
上記筐体部の内側に生じた音を上記リスナの耳近傍まで到達させるよう延長された管状ダクトと
を具えることを特徴とするベッド。
【発明の詳細な説明】
【技術分野】
【０００１】
本発明はスピーカ組込椅子、椅子取付型スピーカ装置、ヘッドレスト及びベッドに関し、例えばスピーカ装置が組み込まれたスピーカ組込椅子に適用して好適なものである。
【背景技術】
【０００２】
従来、スピーカ組込椅子においては、リスナが椅子の座部に着座した際に当該リスナの耳の近傍にスピーカが位置するよう、当該椅子に対して当該スピーカが組み込まれたものが提案されている（例えば、特許文献１参照）。
【０００３】
このスピーカ組込椅子では、組み込まれたスピーカとリスナの耳との距離が比較的近いため、一般的な据え置き型のスピーカ装置の場合と比較して、スピーカから小音量の音を出力するだけでリスナに充分な音量の音を聴取させることができ、周囲への音漏れを小さく抑えることができる。
【特許文献１】特開２００４−１６５２２公報（第６頁、第１図）
【発明の開示】
【発明が解決しようとする課題】
【０００４】
しかしながら、かかる構成のスピーカ組込椅子では、椅子にスピーカが組み込まれるという構造上、スピーカユニットの口径や筐体部の容積等が制限されるため、結果的に低音が不十分となり必ずしも良好な音質の音声をリスナに聴取させ得ないという問題があった。
【０００５】
本発明は以上の点を考慮してなされたもので、充分な低音を含む高音質な音声をリスナに聴取させ得るスピーカ組込椅子、椅子取付型スピーカ装置、ヘッドレスト及びベッドを提案しようとするものである。
【課題を解決するための手段】
【０００６】
かかる課題を解決するため本発明のスピーカ組込椅子においては、リスナが座部に座った際に上体を寄り掛からせるための背もたれ部と、背もたれ部の所定位置に設けられ内部に空間を有する筐体部と、筐体部の一面に取り付けられ、リスナが座部に座り上体を背もたれ部に寄り掛からせた際にリスナの耳との間に所定の距離が設けられるスピーカユニットと、筐体部の内側に生じた音をリスナの耳近傍まで到達させるよう延長された管状ダクトとを設けるようにした。
【０００７】
これにより、リスナがスピーカ組込椅子に着座した際、スピーカユニットから中高音をリスナの耳に到達させると共に、当該リスナの耳近傍まで到達された管状ダクトから十分な音量の低音を当該リスナの耳に到達させることができる。
【０００８】
また本発明のスピーカ組込椅子においては、リスナが座るための座部と、座部近傍の所定位置に設けられ内部に空間を有する筐体部と、筐体部の一面に取り付けられ、リスナが座部に座った際にリスナの耳との間に所定の距離が設けられるスピーカユニットと、筐体部の内側に生じた音をリスナの耳近傍まで到達させるよう延長された管状ダクトとを設けるようにした。
【０００９】
これにより、リスナがスピーカ組込椅子に着座した際、スピーカユニットから中高音をリスナの耳に到達させると共に、当該リスナの耳近傍まで到達された管状ダクトから十分な音量の低音を当該リスナの耳に到達させることができる。
【００１０】
さらに本発明の椅子取付用スピーカ装置においては、内部に空間を有する筐体部と、筐体部を椅子に取り付けるための取付部と、筐体部の一面に取り付けられ、リスナが椅子の座部に座った際にリスナの耳との間に所定の距離が設けられるスピーカユニットと、筐体部の内側に生じた音をリスナの耳近傍まで到達させるよう延長された管状ダクトとを設けるようにした。
【００１１】
これにより、椅子取付用スピーカ装置が取り付けられた椅子にリスナが着座した際、スピーカユニットから中高音をリスナの耳に到達させると共に、当該リスナの耳近傍まで到達された管状ダクトから十分な音量の低音を当該リスナの耳に到達させることができる。
【００１２】
さらに本発明のヘッドレストにおいては、椅子に取り付けられるヘッドレストであって、内部に空間を有しヘッドレストに設けられた筐体部と、筐体部の一面に取り付けられ、リスナが椅子の座部に座った際にリスナの耳との間に所定の距離が設けられるスピーカユニットと、筐体部の内側に生じた音をリスナの耳近傍まで到達させるよう延長された管状ダクトとを設けるようにした。
【００１３】
これにより、ヘッドレストが取り付けられた椅子にリスナが着座した際、スピーカユニットから中高音をリスナの耳に到達させると共に、当該リスナの耳近傍まで到達された管状ダクトから十分な音量の低音を当該リスナの耳に到達させることができる。
【００１４】
さらに本発明のベッドにおいては、リスナが横たわるベッドであって、内部に空間を有しベッドの所定箇所に設けられた筐体部と、筐体部の一面に取り付けられ、リスナがベッドの所定位置に横たわった際にリスナの耳との間に所定の距離が設けられるスピーカユニットと、筐体部の内側に生じた音をリスナの耳近傍まで到達させるよう延長された管状ダクトとを設けるようにした。
【００１５】
これにより、ベッドにリスナが横たわった際、スピーカユニットから中高音をリスナの耳に到達させると共に、当該リスナの耳近傍まで到達された管状ダクトから十分な音量の低音を当該リスナの耳に到達させることができる。
【発明の効果】
【００１６】
本発明によれば、リスナがスピーカ組込椅子に着座した際、スピーカユニットから中高音をリスナの耳に到達させると共に、当該リスナの耳近傍まで到達された管状ダクトから十分な音量の低音を当該リスナの耳に到達させることができ、かくして充分な低音を含む高音質な音声をリスナに聴取させ得るスピーカ組込椅子を実現できる。
【００１７】
また本発明によれば、椅子取付用スピーカ装置が取り付けられた椅子にリスナが着座した際、スピーカユニットから中高音をリスナの耳に到達させると共に、当該リスナの耳近傍まで到達された管状ダクトから十分な音量の低音を当該リスナの耳に到達させることができ、かくして充分な低音を含む高音質な音声をリスナに聴取させ得る椅子取付型スピーカ装置を実現できる。
【００１８】
さらに本発明によれば、ヘッドレストが取り付けられた椅子にリスナが着座した際、スピーカユニットから中高音をリスナの耳に到達させると共に、当該リスナの耳近傍まで到達された管状ダクトから十分な音量の低音を当該リスナの耳に到達させることができ、かくして充分な低音を含む高音質な音声をリスナに聴取させ得るヘッドレストを実現できる。
【００１９】
さらに本発明によれば、ベッドにリスナが横たわった際、スピーカユニットから中高音をリスナの耳に到達させると共に、当該リスナの耳近傍まで到達された管状ダクトから十分な音量の低音を当該リスナの耳に到達させることができ、かくして充分な低音を含む高音質な音声をリスナに聴取させ得るベッドを実現できる。
【発明を実施するための最良の形態】
【００２０】
以下、図面について、本発明の一実施の形態を詳述する。
【００２１】
（１）第１の実施の形態
（１−１）スピーカ組込椅子構成
図１において、第１の実施の形態によるスピーカ組込椅子１は、人間を着座させるための座部２、当該人間を当該座部２に着座させた際に当該人間の背部を寄りかからせるための背もたれ部３及び当該人間の肘をかけさせるための左右の肘掛部４Ｌ及び４Ｒを有しており、全体として、一般的な椅子と同様に人間を着座させ得るようになされている。
【００２２】
さらにスピーカ組込椅子１は、背もたれ部３の左右上部にスピーカ部５Ｌ及び５Ｒが組み込まれている。スピーカ部５Ｌ及び５Ｒは、それぞれ内部に所定容積でなる空間を有する筐体部６Ｌ及び６Ｒを中心に構成され、当該筐体部６Ｌ及び６Ｒの前面側にそれぞれ設けられた略円形の孔に合わせて、電気信号を音（以下、これを再生音と呼ぶ）に変換するスピーカユニット７Ｌ及び７Ｒがそれぞれ取り付けられている。
【００２３】
因みにスピーカユニット７Ｌ及び７Ｒは、図示しないＣＤ（Compact Disc）プレーヤやＤＭＰ（Digital Music Player）の再生処理等により生成された電気信号が図示しないアンプ装置等により増幅され、図示しない接続ケーブルを介して供給されることにより、当該電気信号を音に変換するようになされている。
【００２４】
また筐体部６Ｌ及び６Ｒの上面には、所定内径及び所定長さでなる略管状の部材が所定形状に湾曲された管状ダクト８Ｌ及び８Ｒが当該筐体部６Ｌ及び６Ｒの上面を貫通するよう取り付けられている。因みに管状ダクト８Ｌ及び８Ｒは、断面形状が略円形となるようになされている。
【００２５】
実際上、スピーカ部５Ｌ及び５Ｒは、管状ダクト８Ｌ及び８Ｒをそれぞれバスレフダクトとして作用させることにより、全体としてバスレフ型スピーカとして機能するようになされている。
【００２６】
なお、スピーカ部５Ｌ及び５Ｒは、図１に示したようにほぼ左右対称に構成されているため、以下では主に左側のスピーカ部５Ｌを例に説明する。
【００２７】
スピーカ組込椅子１は、背もたれ部３におけるスピーカ部５Ｌ及び５Ｒの位置や管状ダクト８Ｌ及び８Ｒの形状等が予め調整されており、図２及び図３に示すように音を聴取したい人間（以下、これをリスナ１００と呼ぶ）に着座された際、ダクト端部８ＡＬ及び８ＡＲを当該リスナ１００の耳１０１Ｌ及び１０１Ｒの近傍に位置させ得るようになされている。
【００２８】
なお以下では、スピーカ組込椅子１にリスナ１００が正しく着座したときの当該リスナ１００の正面方向を前方向、その反対側を後方向とし、当該着座したリスナ１００から見て左方向及び右方向を定義した上で説明する。
【００２９】
ところで、一般的なバスレフ型スピーカでは、ダクトが筐体の内部のみに設けられ、外部へは延長されないようになされている。そこで、スピーカ組込椅子１との比較用に、図１と対応する図４に示すようなスピーカ組込椅子１０を想定する。このスピーカ組込椅子１０は、スピーカ部５Ｌ及び５Ｒ（図１）に代えて、一般的なバスレフ型スピーカでなるスピーカ部１５Ｌ及び１５Ｒが背もたれ部３の上部に組み込まれている。
【００３０】
図５に示すように、スピーカ部１５Ｌは、筐体部１６Ｌにスピーカユニット７Ｌが取り付けられ、当該筐体部１６Ｌの内側に管状ダクト１８Ｌが取り付けられると共に当該筐体部１６Ｌにおけるダクト端部１８ＡＬの位置には貫通孔が設けられており、当該管状ダクト１８Ｌをバスレフダクトとして作用させ得るようになされている。
【００３１】
このスピーカ部１５Ｌの場合、スピーカユニット７Ｌの位置を仮想的な音源の位置（以下、これを仮想音源位置と呼ぶ）ＰＭと見なしたときの、当該スピーカユニット７Ｌから放射された中高音がリスナ１００の外耳道入口１０２Ｌに到達するまでの経路長ＥＭと、ダクト端部１８ＡＬを仮想音源位置ＰＬ２と見なしたときの管状ダクト１８Ｌ内を伝わり当該ダクト端部１８ＡＬから放射された低音がリスナの外耳道入口１０２Ｌに到達するまでの経路長ＥＬ２とを比較すると、経路長ＥＭ≒経路長ＥＬ２となっている。
【００３２】
ここで、スピーカ部１５Ｌから外耳道入口１０２Ｌに到達する音の周波数特性を図６に示す。この図６に示すように、一般的なバスレフ型のスピーカ部１５Ｌは、スピーカユニット７Ｌから放射される、特性曲線ＳＭに示すような周波数特性でなる中高音と、管状ダクト１８Ｌ内を伝わりダクト端部１８ＡＬから放射される、特性曲線ＳＬ２に示すような周波数特性でなる低音とを合わせてリスナ１００の外耳道入口１０２Ｌまで到達させることになる。
【００３３】
これによりスピーカ部１５Ｌは、特性曲線ＳＭ及び特性曲線ＳＬ２が合成された特性曲線ＳＧ２に示すように、特性曲線ＳＭにおける低音域の音圧レベルがある程度上昇された再生音をリスナ１００に聴取させることができる。
【００３４】
一方、本発明によるスピーカ組込椅子１のスピーカ部５Ｌ（図３）では、スピーカユニット７Ｌを仮想音源位置ＰＭとみなしたときの、当該スピーカユニット７Ｌから放射された中高音がリスナ１００の外耳道入口１０２Ｌに到達するまでの経路長ＥＭと、ダクト端部８ＡＬを仮想音源位置ＰＬ１と見なしたときの、管状ダクト８Ｌ内を伝わり当該ダクト端部８ＡＬから放射された低音がリスナ１００の外耳道入口１０２Ｌに到達するまでの経路長ＥＬ１とを比較すると、経路長ＥＭ＞経路長ＥＬ１となっている。
【００３５】
ここで、スピーカ部５Ｌから外耳道入口１０２Ｌに到達する音の周波数特性を図７に示す。スピーカ部５Ｌは、上述したようにバスレフ型スピーカの一種であるため、図６に示した場合と同様、スピーカユニット７Ｌから放射される、特性曲線ＳＭに示すような周波数特性でなる中高音と、管状ダクト８Ｌを伝わりダクト端部８ＡＬから放射される、特性曲線ＳＬ１に示すような周波数特性でなる低音とを合わせてリスナ１００の外耳道入口１０２Ｌまで到達させることになる。
【００３６】
ところで、一般に音源からの距離と音圧レベルとは反比例の関係にある。ここでスピーカ部５Ｌ（図３）とスピーカ部１５Ｌ（図５）との経路長を比較すると、経路長ＥＬ１＜経路長ＥＬ２の関係となる。すなわちスピーカ部５Ｌ（図３）は、仮想音源位置ＰＬ１がスピーカ部１５Ｌ（図５）の仮想音源位置ＰＬ２よりもリスナの外耳道入口１０２Ｌ近傍に位置しているため、管状ダクト８Ｌ内を伝わりダクト端部８ＡＬ（仮想音源位置ＰＬ１）から放射される低音を、スピーカ部１５Ｌの場合よりも高い音圧レベルで外耳道入口１０２Ｌまで到達させることができる。
【００３７】
すなわち図８に特性曲線を重ねて示すように、管状ダクト８Ｌによる低音の特性曲線ＳＬ１は、経路長ＥＬ１＜経路長ＥＬ２の関係により、管状ダクト１８Ｌによる低音の特性曲線ＳＬ２と比較して全体的な音圧レベルが高くなる。
【００３８】
この結果、スピーカ組込椅子１のスピーカ部５Ｌは、特性曲線ＳＭ及び特性曲線ＳＬ１が合成された特性曲線ＳＧ１に示すように、特性曲線ＳＭにおける低音域の音圧レベルがスピーカ部１５Ｌの場合（特性曲線ＳＧ２）よりも上昇された、比較的低い周波数帯まで十分な音圧レベルの再生音をリスナに聴取させることができる。
【００３９】
ここで特性曲線ＳＧ１と特性曲線ＳＧ２とを比較すると、特性曲線ＳＧ２では低音域側へ進むに連れて比較的急峻に音圧レベルが低下しているのに対して、特性曲線ＳＧ１では低音域側へ進むに連れて音圧レベルの低下度合いが緩やかになっていることがわかる。
【００４０】
すなわちスピーカ部５Ｌは、スピーカ部１５Ｌと比較して、広い周波数帯域に渡って高い音圧レベルでなる、換言すれば充分な低音域が含まれる良好な再生音をリスナ１００の外耳道入口１０２Ｌに伝達させて聴取させることができる。
【００４１】
因みにスピーカ部５Ｌは、筐体部６Ｌの内容積が０．１８［ｌ］、スピーカユニット７Ｌの振動板における有効振動半径が１５［ｍｍ］、振動系の等価質量Ｍｄが０．８［ｇ］、最低共振周波数ｆ０が２５０［Ｈｚ］、共振のＱ０が０．８となされている。また管状ダクト８Ｌは、内径が８［ｍｍ］、有効長が１８０［ｍｍ］、筐体部６Ｌの上面からダクト端部８ＡＬまでの距離が約１００［ｍｍ］となされている。
【００４２】
一方、スピーカ部１５Ｌは、管状ダクト１８Ｌの有効長が８０［ｍｍ］である点以外は、スピーカ部５Ｌと同様に構成されている。
【００４３】
このスピーカ部５Ｌ及びスピーカ部１５Ｌについて、実際の周波数特性を測定するべく、図９（Ａ）及び（Ｂ）に断面図を示すような測定用モデル２０及び３０を用いた。この測定用モデル２０及び３０は、スピーカユニット７が取り付けられた面（いわゆるバッフル面）から１５０ｍｍ離れた位置に測定用マイクロホンＭＣが設置され、当該測定用マイクロホンＭＣにより集音された音を基に、周波数特性が測定されるようになされている。
【００４４】
測定用モデル２０では、管状ダクト８Ｌに代えて、当該管状ダクト８Ｌと同一の内径及び有効長を有する測定用管状ダクト２８Ｌが筐体部６Ｌに設けられている。同様に、測定用モデル３０では、管状ダクト１８Ｌに代えて、当該管状ダクト１８Ｌと同一の内径及び有効長を有する測定用管状ダクト３８Ｌが筐体部１６Ｌに設けられている。
【００４５】
この測定用モデル２０及び３０を用いて実際の周波数特性を測定したところ、図１０（Ａ）に示すような特性曲線ＳＧ１１（スピーカ部５Ｌの場合）及び図１０（Ｂ）に示すような特性曲線ＳＧ１２（スピーカ部１５Ｌの場合）が得られた。
【００４６】
この図１０では、図８に示した理論的な周波数特性と同様、およそ１５０［Ｈｚ］以下の低音域において、スピーカ部５Ｌの特性曲線ＳＧ１１がスピーカ部１５Ｌの特性曲線ＳＧ１２よりも高い音圧レベルとなっている。すなわち、スピーカ部５Ｌが実際にリスナ１００に充分な低音を含む良好な再生音を聴取させ得ることが示されている。
【００４７】
このようにスピーカ組込椅子１は、リスナ１００に着座された際、スピーカユニット７Ｌから再生音の中高音を放射すると共に、筐体部６Ｌから当該リスナ１００の耳１０１Ｌの近傍まで延長されバスレフダクトとして作用する管状ダクト８Ｌのダクト端部８ＡＬから再生音の低音を放射することにより、充分な低音を含む良好な再生音を当該リスナ１００に聴取させることができる。
【００４８】
（１−２）動作及び効果
以上の構成において、第１の実施の形態によるスピーカ組込椅子１は、リスナ１００に着座された際、スピーカ部５Ｌの筐体部６Ｌに設けられた管状ダクト８Ｌのダクト端部８ＡＬを当該リスナ１００の耳１０１Ｌ近傍に位置させた状態で、外部のアンプから供給される音声信号に基づいた再生音を出力する。
【００４９】
このときスピーカ組込椅子１のスピーカ部５Ｌ（図３）は、スピーカユニット７Ｌから放射される中高音がリスナ１００の外耳道入口１０２Ｌに到達するまでの経路長ＥＭよりも、管状ダクト８Ｌのダクト端部８ＡＬから放射される低音が当該外耳道入口１０２Ｌに到達するまでの経路長ＥＬ１を短くすることになるため、特性曲線ＳＭ（図６）に示したような中高音に対して、特性曲線ＳＬ１に示したように比較的音圧レベルが高い低音を当該外耳道入口１０２Ｌに到達させることができる。
【００５０】
従ってスピーカ組込椅子１のスピーカ部５Ｌは、管状ダクト８Ｌがリスナ１００の耳１０１Ｌ近傍まで延長されていることにより、特性曲線ＳＧ１（図７）及び特性曲線ＳＧ１１（図１０（Ａ））に示したような、比較的低音域まで充分な音圧レベルでなる良好な再生音を当該リスナ１００に聴取させることができる。
【００５１】
この場合、スピーカ組込椅子１のスピーカ部５Ｌは、管状ダクト８Ｌがリスナ１００の耳１０１Ｌ近傍まで延長されているため、一般的なバスレフ型のスピーカ部５Ｌ（図５）において管状ダクト１８Ｌから出力される特性曲線ＳＬ２（図６）のような低音と比較して、特性曲線ＳＬ１（図７）のような音圧レベルが大きい低音をリスナ１００の外耳道入口１０２Ｌに到達させることができ、スピーカユニット７Ｌの口径が比較的小さく耳１０１Ｌからやや離れていることにより不足しがちな低音を、十分な音圧レベルでリスナ１００に聴取させることができる。
【００５２】
さらにスピーカ組込椅子１のスピーカ部５Ｌは、低音の再生音量を上げるのではなく、低音の放射口を外耳道入口１０２Ｌに近づけることによりリスナ１００の鼓膜（図示せず）に充分な低音を到達させているため、例えば大口径のスピーカやサブウーファー等を用いて低音を再生するような場合と比較して、周囲に漏れる低音や振動をほぼ皆無とすることができる。従って、例えばリスナ１００が深夜にスピーカ組込椅子１を介して再生音を聴取する場合等に、近隣や周囲への迷惑を殆ど気にすることなく、充分な低音が含まれる良好な再生音を堪能することができる。
【００５３】
そのうえスピーカ組込椅子１は、低音の放射口を鼓膜１０３Ｌに近づけることによりリスナに十分な音量レベルの低音を聴取させ得るため、スピーカユニット７Ｌの口径をむやみに大きくする必要が無く、筐体部６の大きさを必要最小限に抑えることができるので、スピーカ組込椅子１全体を不必要に大きくせずに済む。
【００５４】
以上の構成によれば、スピーカ組込椅子１は、リスナ１００に着座された際、スピーカ部５Ｌの筐体部６Ｌに設けられた管状ダクト８Ｌのダクト端部８ＡＬを当該リスナ１００の耳１０１Ｌ近傍に位置させた状態で再生音を出力することにより、スピーカユニット７Ｌからの中高音と共に、バスレフダクトとして作用する管状ダクト８Ｌのダクト端部８ＡＬから放射する十分な音量レベルの低音をリスナ１００の外耳道入口１０２Ｌに到達させることができるので、比較的低音域まで充分な音圧レベルでなる良好な再生音を当該リスナ１００に聴取させることができる。
【００５５】
（２）第２の実施の形態
（２−１）スピーカ組込椅子の構成
図１１において、第２の実施の形態によるスピーカ組込椅子５０は、上述した第１の実施の形態によるスピーカ組込椅子１（図１）と同様、全体として人間（リスナ１００）を着座させ得るようになされている。
【００５６】
ただし、この第２の実施の形態によるスピーカ組込椅子５０は、上述した第１の実施の形態によるスピーカ組込椅子１と異なり、スピーカ部５Ｌ及び５Ｒ（図１）と対応するフロントスピーカ部５５Ｌ及び５５Ｒが、左右の肘掛部４Ｌ及び４Ｒの外側に取り付けられている。
【００５７】
フロントスピーカ部５５Ｌの筐体部５６Ｌは、所定内容積を有しており、その一面にスピーカユニット７Ｌが取り付けられている。さらに筐体部５６Ｌは、スピーカユニット７Ｌの放音面が、リスナ１００（図２）がスピーカ組込椅子５０に座った際の耳の方向へ向くよう調整された上で、肘掛部４Ｌに取り付けられている。
【００５８】
また筐体部５６Ｌには、管状ダクト８Ｌ（図１〜図３）と対応する管状ダクト５８Ｌが設けられている。この管状ダクト５８Ｌは、筐体部５６Ｌの内部から外側へ貫通しており、さらにリスナ１００（図２）がスピーカ組込椅子５０に座った際の耳１０１Ｌの近傍位置まで延長されている。
【００５９】
ここで管状ダクト５８Ｌは、その内径及び有効長が所定条件を満たすよう予め計算されており、第１の実施の形態によるスピーカ組込椅子１の管状ダクト８Ｌと同様、バスレフ型スピーカのダクトとして作用するようになされている。これによりスピーカ部５５Ｌは、第１の実施の形態におけるスピーカ部５Ｌと同様、バスレフ型スピーカとして動作するようになされている。
【００６０】
このためスピーカ組込椅子５０は、上述した第１の実施の形態によるスピーカ組込椅子１と同様、フロントスピーカ部５５Ｌのスピーカユニット７Ｌから再生音の中高音を放射すると共に、筐体部６Ｌからリスナ１００の耳の近傍まで延長されバスレフダクトとして作用する管状ダクト５８Ｌの先端から再生音の低音を放射することにより、中高音と充分な低音とを当該リスナ１００の鼓膜（図示せず）まで到達させることができ、充分な低音を含む良好な再生音を当該リスナ１００に聴取させることができる。
【００６１】
さらにスピーカ組込椅子５０の背もたれ部３の後ろ側には、リアスピーカ部５９Ｌ及び５９Ｒが取り付けられている。リアスピーカ部５９Ｌの筐体部６０Ｌは、フロントスピーカ部５５Ｌの筐体部５６Ｌとほぼ同様の内容積を有しており、スピーカユニット７Ｌと同等のスピーカユニット６１Ｌが取り付けられている。
【００６２】
このためスピーカ組込椅子５０は、所定のアンプ装置から、例えば４チャンネルサラウンド（すなわちフロント左、フロント右、リア左及びリア右）の音源におけるフロントチャンネルの音声信号がフロントスピーカ部５５Ｌ及び５５Ｒに供給され、当該音源におけるリアチャンネルの音声信号がリアスピーカ部５９Ｌ及び５９Ｒに供給されることにより、リスナ１００にサラウンド感を与えることができる。
【００６３】
さらにスピーカ組込椅子５０は、映画コンテンツやディジタルテレビジョン放送等で広く普及している５．１チャンネルの音源に対して、所定のアンプ装置においてフロントセンターチャンネル及び低音チャンネルの音声がいずれもフロント左チャンネル及びフロント右チャンネルに分配されることにより、フロントスピーカ部５５Ｌ及び５５Ｒ並びにリアスピーカ部５９Ｌ及び５９Ｒといった４本のスピーカによって当該５．１チャンネルのサラウンドをリスナ１００に擬似的に体感させることもできる。
【００６４】
（２−２）動作及び効果
以上の構成において、第２の実施の形態によるスピーカ組込椅子５０（図１１）は、第１の実施の形態によるスピーカ組込椅子１と同様、リスナ１００に着座された際、フロントスピーカ部５５Ｌの筐体部５６Ｌから延長された管状ダクト５８Ｌの先端を当該リスナ１００の耳近傍に位置させた状態で、外部のアンプから供給される音声信号に基づいた再生音を出力する。
【００６５】
このときスピーカ組込椅子５０のフロントスピーカ部５５Ｌは、スピーカ組込椅子１のスピーカ部５Ｌと同様、管状ダクト５８Ｌがリスナ１００の耳１０１Ｌ近傍まで延長されていることにより、特性曲線ＳＧ１（図７）及び特性曲線ＳＧ１１（図１０（Ａ））に示したような、比較的低音域まで充分な音圧レベルでなる良好な再生音を当該リスナ１００に聴取させることができる。
【００６６】
このスピーカ組込椅子５０は、フロントスピーカ部５５Ｌがリスナ１００の耳１０１Ｌよりも前方に位置することになるため、第１の実施の形態におけるスピーカ組込椅子１のようにスピーカ部５Ｌがリスナ１００の耳１０１Ｌよりも後方に位置する場合と比較して、より自然な音像定位を認識し得るような再生音を当該リスナ１００に聴取させることができる。
【００６７】
さらにスピーカ組込椅子５０は、フロントスピーカ部５５Ｌ及び５５Ｒに加えて、リアスピーカ部５９Ｌ及び５９Ｒからも再生音を出力することにより、リスナ１００にサラウンド感を与えることができる。
【００６８】
以上の構成によれば、第２の実施の形態によるスピーカ組込椅子５０は、第１の実施の形態によるスピーカ組込椅子１と同様、リスナ１００に着座された際、スピーカ部５５Ｌの筐体部５６Ｌに設けられた管状ダクト５８Ｌの先端を当該リスナ１００の耳１０１Ｌ近傍に位置させた状態で再生音を出力することにより、スピーカユニット７Ｌからの中高音と共に、バスレフダクトとして作用する管状ダクト５８Ｌの先端から放射する十分な音量レベルの低音をリスナ１００の鼓膜（図示せず）まで到達させることができるので、比較的低音域まで充分な音圧レベルでなる良好な再生音を当該リスナ１００に聴取させることができる。
【００６９】
（３）第３の実施の形態
（３−１）椅子取付型スピーカ装置の構成
図１２において、第３の実施の形態による椅子取付型スピーカ装置７０は、上述した第１の実施の形態によるスピーカ組込椅子１（図１）のスピーカ部５Ｌ及び５Ｒを背もたれ部３から独立させたような構成を有しており、左側のスピーカ部７５Ｌ及び右側のスピーカ部７５Ｒにより構成されている。
【００７０】
なお、スピーカ部７５Ｌ及び７５Ｒは、図１２に示したようにほぼ左右対称に構成されているため、以下では主に左側のスピーカ部７５Ｌを例に説明する。
【００７１】
スピーカ部７５Ｌの筐体部７６Ｌは、所定内容積を有すると共に、前側の面にスピーカユニット７Ｌが取り付けられており、さらに左右内側の面にスピーカ組込椅子１の管状ダクト８Ｌ（図１〜図３）と対応する管状ダクト７８Ｌが取り付けられている。
【００７２】
この管状ダクト７８Ｌは、スピーカ組込椅子１の管状ダクト８Ｌと同様、所定内径及び所定長さを有する略筒状の部材でなり、筐体部７６Ｌの内部から外側まで貫通するようになされている。
【００７３】
実際上、スピーカ部７５Ｌは、第１の実施の形態におけるスピーカ部５Ｌと同様、バスレフ型スピーカとして動作するようになされており、このとき管状ダクト７８Ｌがバスレフダクトとして作用するようになされている。
【００７４】
また筐体部７６Ｌの下方には、スピーカ部７５Ｌを椅子の背もたれ部に取付固定するための取付部７９Ｌが設けられている。この取付部７９Ｌは、一般的なクランプと同様の構成となっており、取付ねじ７９ＡＬが調整されることにより、様々な厚みを有する背もたれ部に対応し得るようになされている。
【００７５】
実際上、スピーカ部７５Ｌは、図１３に示すように、一般的な構成でなる椅子２００における背もたれ部２０３の上部左側に取付部７９Ｌを介して取り付けられるようになされている。このとき管状ダクト７８Ｌの先端は、座部２０２に着座したリスナ１００（図示せず）の耳近傍に位置することになる。
【００７６】
この結果、椅子取付型スピーカ装置７０は、第１の実施の形態におけるスピーカ組込椅子１と同様、スピーカ部７５Ｌのスピーカユニット７Ｌから再生音の中高音を放射すると共に、筐体部７６Ｌからリスナ１００の耳の近傍まで延長されバスレフダクトとして作用する管状ダクト７８Ｌの先端から再生音の低音を放射することにより、中高音と充分な低音とを当該リスナ１００の鼓膜（図示せず）まで到達させることができ、充分な低音を含む良好な再生音を当該リスナ１００に聴取させることができる。
【００７７】
（３−２）動作及び効果
以上の構成において、椅子取付型スピーカ装置７０（図１２）は、左右のスピーカ部７５Ｌ及び７５Ｒが椅子２００における背もたれ部２０３の上部左右にそれぞれ取り付けられることにより、第１の実施の形態によるスピーカ組込椅子１と同様、当該椅子２００にリスナ１００が着座した際、スピーカ部７５Ｌの筐体部７６Ｌから延長された管状ダクト７８Ｌの先端を当該リスナ１００の耳近傍に位置させた状態で、外部のアンプから供給される音声信号に基づいた再生音を出力する。
【００７８】
このとき椅子取付型スピーカ装置７０のスピーカ部７５Ｌは、スピーカ組込椅子１のスピーカ部５Ｌと同様、管状ダクト７８Ｌがリスナ１００の耳近傍まで延長されていることにより、特性曲線ＳＧ１（図７）及び特性曲線ＳＧ１１（図１０（Ａ））に示したような、比較的低音域まで充分な音圧レベルでなる良好な再生音を当該リスナ１００に聴取させることができる。
【００７９】
さらに椅子取付型スピーカ装置７０は、取付部７９Ｌ及び７９Ｒを介して様々な椅子に取り付けられ得るため、例えば座り心地等の点でリスナ１００が高い満足感を得られるような椅子２００に取り付けられることにより、当該リスナ１００が当該椅子２００に着座した際、快適な着座状態で良好な再生音を聴取させることができる。
【００８０】
また椅子取付型スピーカ装置７０は、椅子２００に対する左右のスピーカ部７５Ｌの取付位置が微調整されることにより、管状ダクト７８Ｌの先端からリスナ１００の耳１０１Ｌまでの距離を変化させることになり、これにより当該リスナ１００に聴取させる再生音における中高音と低音とバランスを変化させることになる。
【００８１】
すなわち椅子取付型スピーカ装置７０は、リスナ１００の好みに応じて椅子２００に対する取付位置が調整されることにより、リスナ１００に聴取される再生音における音質を当該リスナ１００の好みに合わせて変化させることができる。
【００８２】
以上の構成によれば、第３の実施の形態による椅子取付型スピーカ装置７０は、椅子２００の背もたれ部２０３に取り付けられると、第１の実施の形態によるスピーカ組込椅子１と同様、スピーカ部７５Ｌの筐体部７６Ｌに設けられた管状ダクト７８Ｌの先端をリスナ１００の耳近傍に位置させた状態で再生音を出力することにより、スピーカユニット７Ｌからの中高音と共に、バスレフダクトとして作用する管状ダクト７８Ｌの先端から放射する十分な音量レベルの低音をリスナ１００の鼓膜（図示せず）まで到達させることができるので、比較的低音域まで充分な音圧レベルでなる良好な再生音を当該リスナ１００に聴取させることができる。
【００８３】
（４）第４の実施の形態
（４−１）スピーカ組込ヘッドレストの構成
図１４において、第４の実施の形態によるスピーカ組込ヘッドレスト８０は、自動車の座席３００に取り付けられ、当該座席３００に着座した人間（リスナ１００）の頭部を支えるようになされている。
【００８４】
スピーカ組込ヘッドレスト８０は、下方に延長された略棒状の脚部８１Ｌ及び８１Ｒが設けられており、座席３００における背もたれ部３０３の上部に設けられた取付部３０１Ｌ及び３０１Ｒに当該脚部８１Ｌ及び８１Ｒが差し込まれることにより、当該座席３００に対して取付固定されるようになされている。
【００８５】
またスピーカ組込ヘッドレスト８０の内部には、上述した第１の実施の形態によるスピーカ組込椅子１（図１）のスピーカ部５Ｌ及び５Ｒと対応するスピーカ部８５Ｌ及び８５Ｒが左側及び右側にそれぞれ組み込まれている。
【００８６】
なお、スピーカ部８５Ｌ及び８５Ｒは、図１４に示したようにほぼ左右対称に構成されているため、以下では主に左側のスピーカ部８５Ｌを例に説明する。
【００８７】
スピーカ部８５Ｌの筐体部８６Ｌは、所定内容積を有すると共に、前側の面にスピーカユニット７Ｌが取り付けられると共に、スピーカ組込椅子１の管状ダクト８Ｌ（図１〜図３）と対応する管状ダクト８８Ｌが取り付けられている。
【００８８】
この管状ダクト８８Ｌは、スピーカ組込椅子１の管状ダクト８Ｌと同様、所定内径及び所定長さを有する略筒状の部材でなり、筐体部８６Ｌの内部から外側まで貫通するようになされている。
【００８９】
実際上、スピーカ部８５Ｌは、第１の実施の形態におけるスピーカ部５Ｌと同様、バスレフ型スピーカとして動作するようになされており、このとき管状ダクト８８Ｌがバスレフダクトとして作用するようになされている。
【００９０】
実際上、座席３００における背もたれ部３０３の上部にスピーカ組込ヘッドレスト８０が取り付けられた状態で、リスナ１００が当該座席３００に着座したとき、スピーカ部８５Ｌの管状ダクト８８Ｌの先端は、当該リスナ１００（図示せず）の耳近傍に位置することになる。
【００９１】
この結果、スピーカ組込ヘッドレスト８０は、第１の実施の形態におけるスピーカ組込椅子１と同様、スピーカ部８５Ｌのスピーカユニット７Ｌから再生音の中高音を放射すると共に、筐体部８６Ｌからリスナ１００の耳の近傍まで延長されバスレフダクトとして作用する管状ダクト８８Ｌの先端から再生音の低音を放射することにより、中高音と充分な低音とを当該リスナ１００の鼓膜（図示せず）まで到達させることができ、充分な低音を含む良好な再生音を当該リスナ１００に聴取させることができる。
【００９２】
（４−２）動作及び効果
以上の構成において、スピーカ組込ヘッドレスト８０は、座席３００における背もたれ部３０３の上部に取り付けられることにより、第１の実施の形態によるスピーカ組込椅子１と同様、当該座席３００にリスナ１００が着座した際、スピーカ部８５Ｌの筐体部８６Ｌから延長された管状ダクト８８Ｌの先端を当該リスナ１００の耳近傍に位置させた状態で、外部のアンプから供給される音声信号に基づいた再生音を出力する。
【００９３】
このときスピーカ組込ヘッドレスト８０のスピーカ部８５Ｌは、スピーカ組込椅子１のスピーカ部５Ｌと同様、管状ダクト８８Ｌがリスナ１００の耳近傍まで延長されていることにより、特性曲線ＳＧ１（図７）及び特性曲線ＳＧ１１（図１０（Ａ））に示したような、比較的低音域まで充分な音圧レベルでなる良好な再生音を当該リスナ１００に聴取させることができる。
【００９４】
さらにスピーカ組込ヘッドレスト８０は、脚部８１Ｌ及び８１Ｒを介して様々な座席３００に取り付けられ得る。このため、例えばスピーカが組み込まれていない通常のヘッドレストが自動車の座席３００に予め取り付けられていた場合であっても、座席３００をそのまま用いて当該通常のヘッドレストをスピーカ組込ヘッドレスト８０に交換するだけで、当該座席３００に着座したリスナ１００に対して良好な再生音を聴取させることができる。
【００９５】
以上の構成によれば、第４の実施の形態によるスピーカ組込ヘッドレスト８０は、座席３００の背もたれ部３０３に取り付けられると、第１の実施の形態によるスピーカ組込椅子１と同様、スピーカ部８５Ｌの筐体部８６Ｌに設けられた管状ダクト８８Ｌの先端をリスナ１００の耳近傍に位置させた状態で再生音を出力することにより、スピーカユニット７Ｌからの中高音と共に、バスレフダクトとして作用する管状ダクト８８Ｌの先端から放射する十分な音量レベルの低音をリスナ１００の鼓膜（図示せず）まで到達させることができるので、比較的低音域まで充分な音圧レベルでなる良好な再生音を当該リスナ１００に聴取させることができる。
【００９６】
（５）第５の実施の形態
（５−１）スピーカ組込ベッドの構成
図１５において、第５の実施の形態によるスピーカ組込ベッド９０は、人間（リスナ１００、図示せず）が横たわるためのマットレス９２が前後方向からヘッドボード９３及びフットボード９４の間に挟まれるように構成されている。
【００９７】
なお、以下では、リスナ１００がマットレス９２に横たわった際の足先側を前方向、頭部側を後方向とし、当該リスナ１００が仰向けに横たわったときの左方向及び右方向を定義した上で説明する。
【００９８】
ヘッドボード９３の上部左右には、上述した第１の実施の形態によるスピーカ組込椅子１（図１）のスピーカ部５Ｌ及び５Ｒと対応するスピーカ部９５Ｌ及び９５Ｒが組み込まれている。
【００９９】
なお、スピーカ部９５Ｌ及び９５Ｒは、図１５に示したようにほぼ左右対称に構成されているため、以下では主に左側のスピーカ部９５Ｌを例に説明する。
【０１００】
スピーカ部９５Ｌの筐体部９６Ｌは、所定内容積を有しており、その前面にスピーカユニット７Ｌが取り付けられている。また筐体部９６Ｌには、管状ダクト８Ｌ（図１〜図３）と対応する管状ダクト９８Ｌが設けられている。
【０１０１】
管状ダクト９８Ｌは、スピーカ組込椅子１の管状ダクト８Ｌと同様、所定内径及び所定長さを有する略筒状の部材でなり、筐体部９６Ｌの内部から外側へ貫通し、リスナ１００（図示せず）がマットレス９２に横たわった際の耳の近傍位置まで延長されている。
【０１０２】
実際上、スピーカ部９５Ｌは、第１の実施の形態におけるスピーカ部５Ｌと同様、バスレフ型スピーカとして動作するようになされており、このとき管状ダクト９８Ｌがバスレフダクトとして作用するようになされている。
【０１０３】
このためスピーカ組込ベッド９０は、上述した第１の実施の形態によるスピーカ組込椅子１と同様、スピーカ部９５Ｌのスピーカユニット７Ｌから再生音の中高音を放射すると共に、筐体部９６Ｌからリスナ１００の耳近傍まで延長されバスレフダクトとして作用する管状ダクト９８Ｌの先端から再生音の低音を放射することにより、中高音と充分な低音とを当該リスナ１００の鼓膜（図示せず）まで到達させることができ、充分な低音を含む良好な再生音を当該リスナ１００に聴取させることができる。
【０１０４】
（５−２）動作及び効果
以上の構成において、スピーカ組込ベッド９０は、リスナ１００（図示せず）がヘッドボード９３側に頭部を向けるようマットレス９２に横たわった際、第１の実施の形態によるスピーカ組込椅子１と同様、スピーカ部９５Ｌの筐体部９６Ｌから延長された管状ダクト９８Ｌの先端を当該リスナ１００の耳近傍に位置させた状態で、外部のアンプから供給される音声信号に基づいた再生音を出力する。
【０１０５】
このときスピーカ組込ベッド９０のスピーカ部９５Ｌは、スピーカ組込椅子１のスピーカ部５Ｌと同様、管状ダクト９８Ｌがリスナ１００の耳近傍まで延長されていることにより、特性曲線ＳＧ１（図７）及び特性曲線ＳＧ１１（図１０（Ａ））に示したような、比較的低音域まで充分な音圧レベルでなる良好な再生音を当該リスナ１００に聴取させることができる。
【０１０６】
以上の構成によれば、第５の実施の形態によるスピーカ組込ベッド９０は、リスナ１００が横たわった際、第１の実施の形態によるスピーカ組込椅子１と同様、スピーカ部９５Ｌの筐体部９６Ｌに設けられた管状ダクト９８Ｌの先端を当該リスナ１００の耳近傍に位置させた状態で再生音を出力することにより、スピーカユニット７Ｌからの中高音と共に、バスレフダクトとして作用する管状ダクト９８Ｌの先端から放射する十分な音量レベルの低音をリスナ１００の鼓膜（図示せず）まで到達させることができるので、比較的低音域まで充分な音圧レベルでなる良好な再生音を当該リスナ１００に聴取させることができる。
【０１０７】
（６）他の実施の形態
なお上述した第１〜第５の実施の形態においては、管状ダクト８Ｌ及び８Ｒ、５８Ｌ及び５８Ｒ、７８Ｌ及び７８Ｒ、８８Ｌ及び８８Ｒ、並びに９８Ｌ及び９８Ｒの断面形状を略円形とするようにした場合について述べたが、本発明はこれに限らず、略楕円形や略矩形とするようにしても良く、要はバスレフダクトとして作用し得るよう所定の断面積を有していればよい。
【０１０８】
また上述した第１の実施の形態においては、スピーカ部５Ｌ及び５Ｒが背もたれ部３に組み込まれるようにした場合について述べたが、本発明はこれに限らず、例えば当該スピーカ部５Ｌ及び５Ｒが肘掛部４Ｌ及び４Ｒや座部２等の様々な箇所に組み込まれるようにしても良い。この場合、着座したリスナ１００の耳１０１Ｌの近傍まで管状ダクト８Ｌ及び８Ｒが延長され、且つ当該管状ダクト８Ｌ及び８Ｒの有効長及び内径がバスレフダクトとして作用し得る値に設計されていれば良い。この場合、椅子としては背もたれ部や肘掛部を有していなくても良く、少なくともリスナが着座するための座部を有していれば良い。
【０１０９】
さらに上述した第２の実施の形態においては、フロントスピーカ部５５Ｌ及び５５Ｒにのみ管状ダクト５８Ｌ及び５８Ｒを設けるようにした場合について述べたが、本発明はこれに限らず、例えばリアスピーカ部５９Ｌ及び５９Ｒにもリスナ１００の耳近傍まで延長された管状ダクトをそれぞれ設けるようにし、或いはリアスピーカ部５９Ｌ及び５９Ｒのみに管状ダクトを設けるようにする等しても良い。
【０１１０】
さらに上述した第２の実施の形態においては、リアスピーカ部５９Ｌ及び５９Ｒを設けるようにした場合について述べたが、本発明はこれに限らず、当該リアスピーカ部５９Ｌ及び５９Ｒを設けないようにしても良い。或いは、フロントスピーカ部５５Ｌ及び５５Ｒ並びにリアスピーカ部５９Ｌ及び５９Ｒに加えて、サイドスピーカ部がリスナ１００Ｌの左右に位置するよう設けられるなど、２組以上のスピーカ部が設けられていても良い。
【０１１１】
さらに上述した第３の実施の形態においては、スピーカ部７５Ｌ及び７５Ｒを椅子２００における背もたれ部２０３の上部に取り付けるようにした場合について述べたが、本発明はこれに限らず、当該スピーカ部７５Ｌ及び７５Ｒを椅子２００の座部２０２、肘掛部や脚部等、種々の箇所に取り付けるようにしても良い。この場合、着座したリスナ１００の耳１０１Ｌの近傍まで管状ダクト７８Ｌ及び７８Ｒが延長され、且つ当該管状ダクト７８Ｌ及び７８Ｒの有効長及び内径がバスレフダクトとして作用し得る値に設計されていれば良い。
【０１１２】
さらに上述した第３の実施の形態では、取付部７９Ｌ及び７９Ｒが一般的なクランプと同様の形状に構成されるようにした場合について述べたが、本発明はこれに限らず、例えば当該取付部７９Ｌ及び７９Ｒがクリップ状でなり、ばねの弾性力により背もたれ部２０３等を挟み込むようにするなど、種々の形状であっても良い。
【０１１３】
さらに上述した第４の実施の形態においては、スピーカ組込ヘッドレスト８０を自動車の座席３００に取り付けるようにした場合について述べたが、本発明はこれに限らず、例えば当該スピーカ組込ヘッドレスト８０を映画館、列車、航空機や船舶等、種々の座席に取り付けるようにしても良い。
【０１１４】
さらに上述した第５の実施の形態においては、スピーカ部９５Ｌ及び９５Ｒをヘッドボード９３に組み込むようにした場合について述べたが、本発明はこれに限らず、当該スピーカ部９５Ｌ及び９５Ｒを例えばマットレス９２に内蔵させ、或いはサイドフレーム９１Ｌ及び９１Ｒの左右外側に取り付ける等、ベッドの様々な箇所に組み込むようにしても良い。
【０１１５】
さらに上述した第１〜第５実施の形態においては、筐体部６Ｌ及び６Ｒ、５６Ｌ及び５６Ｒ、７６Ｌ及び７６Ｒ、８６Ｌ及び８６Ｒ、９６Ｌ及び９６Ｒにそれぞれスピーカユニット７Ｌ及び７Ｒを１つずつ取り付けるようにした場合について述べたが、本発明はこれに限らず、各筐体部にそれぞれ２つ以上のスピーカユニットを設け、いわゆるマルチウェイ構成とするようにしても良い。
【産業上の利用可能性】
【０１１６】
本発明は、家庭内や各種施設内に設けられた椅子やベッド、或いは車両や航空機等といった人員輸送用の各種移動手段等に設けられる椅子でも利用できる。
【図面の簡単な説明】
【０１１７】
【図１】第１の実施の形態によるスピーカ組込椅子の全体構成を示す略線的斜視図である。
【図２】リスナが着座した状態を示す略線的斜視図である。
【図３】本発明のスピーカ部における中高音及び低音の経路長を示す略線的斜視図である。
【図４】一般的なバスレフ型スピーカが組み込まれたスピーカ組込椅子の構成を示す略線的斜視図である。
【図５】一般的なバスレフ型スピーカ部における中高音及び低音の経路長を示す略線的斜視図である。
【図６】一般的なバスレフ型スピーカにおける周波数特性を示す略線図である。
【図７】本発明によるスピーカ組込椅子における周波数特性を示す略線図である。
【図８】理論的な周波数特性を示す略線図である。
【図９】スピーカ部の測定用モデルの構成を示す略線図である。
【図１０】実測によるスピーカ部の周波数特性を示す略線図である。
【図１１】第２の実施の形態によるスピーカ組込椅子の全体構成を示す略線的斜視図である。
【図１２】第３の実施の形態による椅子取付型スピーカ装置の全体構成を示す略線的斜視図である。
【図１３】椅子取付型スピーカ装置の取付状態を示す略線的斜視図である。
【図１４】第４の実施の形態によるスピーカ組込ヘッドレストの全体構成を示す略線的斜視図である。
【図１５】第５の実施の形態によるスピーカ組込ベッドの全体構成を示す略線的斜視図である。
【符号の説明】
【０１１８】
１、１０、５０……スピーカ組込椅子、２、１２、２０２……座部、３、１３、５３、２０３、３０３……背もたれ部、４Ｌ、４Ｒ、５４Ｌ、５４Ｒ……肘掛部、５Ｌ、５Ｒ、１５Ｌ、１５Ｒ、２０、３０、７５Ｌ、７５Ｒ、８５Ｌ、８５Ｒ、９５Ｌ、９５Ｒ……スピーカ部、６Ｌ、６Ｒ、１６Ｌ、１６Ｒ、５６Ｌ、５６Ｒ、７６Ｌ、７６Ｒ、８６Ｌ、８６Ｒ、９６Ｌ、９６Ｒ……筐体部、７Ｌ、７Ｒ……スピーカユニット、８Ｌ、８Ｒ、１８Ｌ、１８Ｒ、２８Ｌ、３８Ｌ、５８Ｌ、５８Ｒ、７８Ｌ、７８Ｒ、８８Ｌ、８８Ｒ、９８Ｌ、９８Ｒ……管状ダクト、５５Ｌ、５５Ｒ……フロントスピーカ部、５９Ｌ、５９Ｒ……リアスピーカ部、７０……椅子取付型スピーカ装置、７９Ｌ、７９Ｒ……取付部、８０……スピーカ組込ヘッドレスト、９０……スピーカ組込ベッド、９２……マットレス、９３……ヘッドボード、９４……フットボード、２００……椅子、３００……座席。
【図１】
2007221485.tif 000003
【図２】
2007221485.tif 000004
【図３】
2007221485.tif 000005
【図４】
2007221485.tif 000006
【図５】
2007221485.tif 000007
【図６】
2007221485.tif 000008
【図７】
2007221485.tif 000009
【図８】
2007221485.tif 000010
【図９】
2007221485.tif 000011
【図１０】
2007221485.tif 000012
【図１１】
2007221485.tif 000013
【図１２】
2007221485.tif 000014
【図１３】
2007221485.tif 000015
【図１４】
2007221485.tif 000016
【図１５】
2007221485.tif 000017